(57)【要約】【課題】安価な絶縁性プラスチックシートを複数回巻いてチューブ状に形成したカバーを用いて、確実に固定でき、接続部を周辺から確実に絶縁した、信頼性の高い電動圧縮機の提供。【解決手段】密閉容器１２内電動要素１４と圧縮要素１８を収納し、密閉容器１２に取り付けた外部電源に接続されるターミナル２０に接続するリード線１と、電動要素１４のステータコイル２８に接続するモータ引出線２とを接続部３を介して接続して電動要素１４に給電する電動圧縮機１０において、接続部３の周囲が絶縁性プラスチックシートを複数回巻いてチューブ状に形成し、一端の所定部を溶着したカバー４で包まれており、カバー４の溶着した側の反対側にリード線１が挿入されており、そしてカバー４の溶着した側にモータ引出線２が密着して挿入されて固定されている。【選択図】  図１
2005264749.tif 000002
【特許請求の範囲】
【請求項１】
密閉容器内に電動要素と圧縮要素を収納し、前記密閉容器に取り付けた外部電源に接続されるターミナルに接続するリード線と、前記電動要素のステータコイルに接続するモータ引出線とを接続部を介して接続して前記電動要素に給電する電動圧縮機において、
前記接続部の周囲が絶縁性プラスチックシートを複数回巻いてチューブ状に形成し、一端の所定部を溶着したカバーで包まれており、前記カバーの溶着した側の反対側に前記リード線が挿入されており、そして前記カバーの溶着した側に前記モータ引出線が密着して挿入されて固定されていることを特徴とする電動圧縮機。
【発明の詳細な説明】
【技術分野】
【０００１】
本発明は、電動圧縮機に関するものであり、さらに詳しくは外部電源に接続されるターミナルを経て電動要素に給電する電動圧縮機に関するものである。
【背景技術】
【０００２】
従来、外部電源に接続されるターミナルに接続するリード線と、電動要素のステータコイルに接続するモータ引出線とを接続部を介して接続して電動要素に給電する電動圧縮機の前記接続部を絶縁カバーで取り囲むことが提案されている（特許文献１参照）。
【特許文献１】特開２０００−２９７７５８
【発明の開示】
【発明が解決しようとする課題】
【０００３】
しかし、接続部を取り囲む前記絶縁カバーが抜けるのを防止するため、前記絶縁カバーの１辺に鋸刃状の抜け止めを形成するので、前記絶縁カバーの作成に手間がかかり、高価になる問題を有していた。
本発明の目的は、従来の諸問題を解決して、安価な絶縁性プラスチックシートを複数回巻いてチューブ状に形成したカバーを用いて、確実に固定でき、接続部を周辺から確実に絶縁した、信頼性の高い電動圧縮機を提供することである。
【課題を解決するための手段】
【０００４】
前記課題を解決するための本発明の請求項１記載の電動圧縮機は、密閉容器内に電動要素と圧縮要素を収納し、前記密閉容器に取り付けた外部電源に接続されるターミナルに接続するリード線と、前記電動要素のステータコイルに接続するモータ引出線とを接続部を介して接続して前記電動要素に給電する電動圧縮機において、
前記接続部の周囲が絶縁性プラスチックシートを複数回巻いてチューブ状に形成し、一端の所定部を溶着したカバーで包まれており、前記カバーの溶着した側の反対側に前記リード線が挿入されており、そして前記カバーの溶着した側に前記モータ引出線が密着して挿入されて固定されていることを特徴とする。
【発明の効果】
【０００５】
本発明の請求項１記載の電動圧縮機は、密閉容器内に電動要素と圧縮要素を収納し、前記密閉容器に取り付けた外部電源に接続されるターミナルに接続するリード線と、前記電動要素のステータコイルに接続するモータ引出線とを接続部を介して接続して前記電動要素に給電する電動圧縮機において、前記接続部の周囲が絶縁性プラスチックシートを複数回巻いてチューブ状に形成し、一端の所定部を溶着したカバーで包まれており、前記カバーの溶着した側の反対側に前記リード線が挿入されており、そして前記カバーの溶着した側に前記モータ引出線が密着して挿入されて固定されていることを特徴とするものであり、安価な絶縁性プラスチックシートを複数回巻いてチューブ状に形成し、一端の所定部を溶着したカバーの溶着した側に前記モータ引出線が密着して挿入されて固定されているので、碓実に固定できるとともに、接続部を周辺から絶縁でき、信頼性が高い、という顕著な効果を奏する。
【発明を実施するための最良の形態】
【０００６】
以下、図面により本発明の実施の形態を詳細に説明する。
図１は本発明の電動圧縮機の一実施の形態を説朋する断面説明図である。
図１において１０は、二酸化炭素（ＣＯ２）を冷媒として使用する内部中間圧型多段圧縮式ロータリ電動圧縮機であり、この電動圧縮機１０は、アルミニウム系金属からなる円筒状の密閉容器１２と、この密閉容器１２の内部空間の上側に配置収納された電動要素１４およびこの電動要素１４の下側に配置され、電動要素１４の回転軸１６により駆動される下段の回転圧縮要素３２（１段目）および上段の回転圧縮要素３４（２段目）から成る回転圧縮機構部１８にて構成されている。
密閉容器１２は底部をオイル溜めとし、電動要素１４と回転圧縮機構部１８を収納する容器本体１２Ａと、この容器本体１２Ａの上部開口を閉塞する略椀状のエンドキャップ（蓋体）１２Ｂとで構成されている。
そしてこのエンドキャップ１２Ｂの上面中心には円形の取付孔１２Ｄが形成されており、この取付孔１２Ｄには電動要素１４に電力を供給するためのターミナル２０が固定して取り付けられている。
【０００７】
電動要素１４は所謂磁極集中巻き式のＤＣモータであり、密閉容器１２の上部空間の内周面に沿って環状に取り付けられたステータ２２と、このステータ２２の内側に若干の間隔を設けて挿入設置されたロータ２４とからなる。このロータ２４は中心を通り鉛直方向に延びる回転軸１８に固定されている。
ステータ２２は、ドーナッツ状の電磁鋼板を積層した積層体２６と、この積層体２６の歯部に直巻さ（集中巻き）方式により巻装されたステータコイル２８を有している。また、ロータ２４はステータ２２と同様に電磁鋼板の積層体３０で形成され、この積層体３０内に永久磁石ＭＧを挿入して形成されている。
【０００８】
ターミナル２０は図示しない外部電源に接続されており、ターミナル２０に接続するリード線１と、電動要素１４のステータコイル２８に接続するモータ引出線２とが接続部３を介して接続してあり、図示しない外部電源からターミナル２０→リード線１→接続部３→モータ引出線２を経てステータコイル２８に給電するようになっている。
そして、後述するように接続部３はその周囲が絶縁性プラスチックシートから形成されてなるカバー４で包まれている。
【０００９】
下段の回転圧縮要素３２と上段の回転圧縮要素３４との間には中間仕切板３６が狭持されている。即ち、下段の回転圧縮要素３２と上段の回転圧縮要素３４は、中間仕切板３６と、この中間仕切坂３６の上下に配置された上シリンダ３８、下シリンダ４０と、この上下シリンダ３８、４０内を、１８０度の位相差を有して回転軸１６に設けられた上下遍心部４２、４４により遍心回転される上下ローラ４６、４８と、この上下ローラ４６、４８に当接して上下シリンダ３８、４０内をそれぞれ低圧室側と高圧室側に区画するベーン５０、５２と、上シリンダ３８の上側の開口面および下シリンダ４０の下側の開口面を閉塞して回転軸１６の軸受けを兼用する支持部材としての上部支持部材５４および下部支持部材５６にて構成されている。
【００１０】
一方、上部支持部材５４および下部支持部材５６には、図示しない吸込ポートにて上下シリンダ３８、４０の内部とそれぞれ連通する吸込通路６０（上側の吸込通路は図示せず）と、一部を凹陥させ、この凹陥部を上部カバー６６、下部カバー６８にて閉塞することにより形成される吐出消音室６２、６４とが設けられている。
尚、吐出消音室６４と密閉容器１２内とは、上下シリンダ３８、４０や中間仕切板３６を貫通する連通路にて連通されており、連通路の上端には中間吐出管１２１が立設され、この中間吐出管１２１から下段の回転圧縮要素３２で圧縮された中間圧の冷媒ガスが密閉容器１２内に吐出される。
【００１１】
そして、潤滑油としてのオイルは、例えば鉱物油（ミネラルオイル）、アルキベンゼン油、エーテル油、エステル油、ＰＡＧ（ポリアルキルグリコール）など既存のオイルが使用される。
【００１２】
密閉容器１２の容器本体１２Ａの側面には、上部支持部材５４と下部支持部材５６の吸込通路６０（上側は図示せず）、吐出消音室６２、上部カバー６６の上側（電動要素１４の下端に略対応する位置）に対応する位置に、スリーブ１４２および１４３が溶接固定されている。
また、スリーブ１４２内には下シリンダ４０に冷媒ガスを導入するための冷媒導入管９４の一端が挿入接続され、この冷媒導入管９４の一端は下シリンダ４０の吸込通路６０と連通する。また、スリーブ１４３内には冷媒吐出管９６の一端が挿入接続され、この冷媒吐出管９６の一端は吐出消音室６２と連通通する。
【００１３】
図示しない外部電源からターミナル２０→リード線１→接続部３→モータ引出線２を経てステータコイル２８に通電されると、電動要素１４が起動してロータ２４が回転する。この回転により回転軸１６と一体に設けた上下偏心部４２、４４に嵌合された上下ローラ４６、４８が上下シリンダ３８、４０内を偏心回転する。
これにより、冷媒導入管９４および下部支持部材５６に形成された吸込通路６０を経由して図示しない吸込ポートからシリンダ４０の低圧室側に吸入された低圧の冷媒ガスは、ローラ４８とベーン５２の動作により圧縮されて中間圧となり下シリンダ４０の高圧室側より図示しない連通路を経て中間吐出管１２１から密閉容器１２内に吐出される。これによって、密閉容器１２内は中間圧となる。
【００１４】
そして、中間圧の冷媒ガスは上部支持部材５４に形成された図示しない吸込通路を経由して、図示しない吸込ポートから上段の回転圧縮要素３４の上シリンダ３８の低圧室側に吸入され、ローラ４６とベーン５０の動作により２段目の圧縮が行われて高圧高温の冷媒ガスとなり、高圧室側から図示しない吐出ポートを通り上部支持部材５４に形成された吐出消音室６２を経て冷媒吐出管９６より外部に吐出され、循環して使用される。
【００１５】
図２（１）〜（６）は、図１に示した本発明の電動圧縮機のリード線とモータ引出線との接続部を包むカバーを作成し、接続部を包む工程の一実施の形態を説明する説明図である。
図２（１）において、厚さ約５０μｍ程度のポリエステル、ポリアミド、ポリオレフィン、ポリカーボネート、エンジニアリングプラスチック、熱可塑性エラストマー、熱硬化性プラスチックなどの冷媒や潤滑油に耐性があり、耐熱性、強度などに優れる特性を有する絶縁性プラスチックシート７０を準備する。厚さは２〜４回など複数回巻いてチューブ状にした時に、重ね厚さが約１５０μｍ程度になるようにすることが強度、安定性、固定性などの観点から好ましい。１回巻きでは形成されるチューブが不安定であり、強度も低く、チューブを位置ぎめして密着して固定することができなくなる。
【００１６】
そして図２（２）に示したように、この絶縁性プラスチックシート７０を複数回巻いてチューブ７１（例えば長さ約５０ｍｍ、内径約５ｍｍ）に形成する。
【００１７】
そして図２（３）に示したように、このチューブ７１の一端の所定部を公知の方法、装置を用いて溶着する。７２は溶着部、７３は未溶着部を示す。溶着部７２の形状や寸法などは、チューブ７１の溶着した側の反対側にリード線１を挿入でき、そしてチューブ７１の未溶着部７３にモータ引出線２を密着して挿入して固定できればよく、特に限定されるものではない。
この未溶着部７３にモータ引出線２を挿入して密着して固定するので、未溶着部７３の内径Ｄ１とモータ引出線２の外径Ｄ２（例えば約０．５〜１．２ｍｍ）とがほぼ同じかあるいは未溶着部７３の内径Ｄ１がモータ引出線２の外径Ｄ２よりやや大きくなるように溶着することが肝要である。
すなわち、Ｄ１≧Ｄ２となるようにするが、未溶着部７３の内径Ｄ１が、モータ引出線２の外径Ｄ２よりあまり大き過ぎると、ブカブカになり、位置が定まらず、位置ぎめして密着して固定することがでさなくなる。
【００１８】
そして図２（４）に示したように、チューブ７１の一端からモータ引出線２を挿入し、チューブ７１の他端から少し引き出す。７４はリード線１と接続するための端部である。
【００１９】
次に、図２（５）に示したように、リード線１とモータ引出線２を接続し、ハンダ溶接する。７５はハンダ溶接部を示す。
【００２０】
そして図２（６）に示したように、ハンダ溶接した後、チューブ７１を所定の位置に移動させ、そのままその位置に固定して接続部３をカバー４で包むことができる。
【００２１】
上記実施の形態の説明は、本発明を説明するためのものであって、特許請求の範囲に記載の発明を限定し、あるいは範囲を減縮するものではない。また、本発明の各部構成は上記実施の形態に限らず、特許請求の範囲に記載の技術的範囲内で例えば下記のような種々の変形が可能である。
【００２２】
上記説明においては２段圧縮式ロータリ圧縮機について説明したが、本発明は電動圧縮機の形式は特に限定されず、具体的には、レシプロ式電動圧縮機、振動式電動圧縮機、マルチベーン式ロータリ電動圧縮機、スクロール式電動圧縮機などであってもよく、また圧縮段数は少なくとも１段以上の圧縮であればよい。
【００２３】
本発明の電動圧縮機は、家庭用エアコン、業務用エアコン（パッケージエアコン）、自動車用エアコン、家庭用冷蔵庫、業務用冷蔵庫、業務用冷凍庫、業務用冷凍冷蔵庫、ショーケース、自動販売機、給湯機などに有用に使用できるものである。
【産業上の利用可能性】
【００２４】
本発明の電動圧縮機は、密閉容器内に電動要素と圧縮要素を収納し、前記密閉容器に取り付けた外部電源に接続されるターミナルに接続するリード線と、前記電動要素のステータコイルに接続するモータ引出線とを接続部を介して接続して前記電動要素に給電する電動圧縮機において、前記接続部の周囲が絶縁性プラスチックシートを複数回巻いてチューブ状に形成し、一端の所定部を溶着したカバーで包まれており、前記カバーの溶着した側の反対側に前記リード線が挿入されており、そして前記カバーの溶着した側に前記モータ引出線が密着して挿入されて固定されていることを特徴とするものであり、安価な絶縁性プラスチックシートを複数回巻いてチューブ状に形成し、一端の所定部を溶着したカバーの溶着した側に前記モータ引出線が密着して挿入されて固定されているので、確実に固定できるとともに、接続部を周辺から絶縁でき、信頼性が高い、という顕著な効果を奏するので、産業上の利用価値が高い。
【図面の簡単な説明】
【００２５】
【図１】本発明の電動圧縮機の一実施の形態を説明する断面説明図である。
【図２】（１）〜（６）は、図１に示した本発明の遠藤圧縮機のリード線とモータ引出線との接続部を包むカバーを作成し、接続部を包む工程の一実施の形態を説明する説明図である。
【符号の説明】
【００２６】
１  リード線
２  モータ引出線
３  接続部
４  カバー
１０  ロータリ圧縮機
１２  密閉容器
１２Ａ  容器本体
１２Ｂ  エンドキャップ
１２Ｄ  取付孔
１４  電動要素
１８  回転圧縮機構部
２０  ターミナル
２８  ステータコイル
７０  絶縁性プラスチックシート
【図１】
2005264749.tif 000003
【図２】
2005264749.tif 000004